(57)【特許請求の範囲】
【請求項１】
ケース開口部の形成縁に設けられるとともに相互に噛み合い可能な一対のファスナーエレメントと、これらファスナーエレメントに沿って移動可能に設けられるとともに対向配置されて離間接近可能に設けられた一対のスライダーとを含むスライドファスナーと、前記スライダーを介して前記ファスナーエレメントが前記開口部を閉塞する所定の位置で、前記スライダーの移動を規制する施錠手段とを備えたスライドファスナーの施錠構造において、
前記ケースは繊維シート等の可撓性を有する扁平な袋状をなし、
前記スライダーは、相互に接近させたときに重なり合って一致する連結孔を備え、
前記施錠手段は、ケース開口部近傍に設けられるとともに前記スライダーをカバーする位置に変位可能なカバー部材と、当該カバー部材が前記スライダーをカバーする状態でカバー部材の位置を固定する施錠具とを備え、
前記カバー部材は、前記ケース開口部近傍の外面側に取り付けられた表裏一対のシート材により構成されているとともに面内に施錠孔を備え、一端が前記開口部から突出する方向に折り返し可能に設けられ、当該折り返した状態で各カバー部材がスライダーを全体的にカバーした状態で前記スライダの連結孔とカバー部材の施錠孔に施錠具の錠杆を挿入して連結することで、前記スライダーがカバーされることを特徴とするスライドファスナーの施錠構造。
【請求項２】
前記施錠手段は、前記スライダーの上面側に設けられた突部を更に含み、当該突部に前記連結穴が形成されていることを特徴とする請求項１記載のスライドファスナーの施錠構造。
【発明の詳細な説明】
【技術分野】
【０００１】
本発明はスライドファスナーの施錠構造に係り、特に、袋状をなすケースの開口部に設けられたスライドファスナーの開放を制限若しくは禁止することのできるスライドファスナーの施錠構造に関する。
【背景技術】
【０００２】
ブリーフケース等においては、その開口部を開閉する機構としてスライドファスナーが用いられている。このスライドファスナーは、一対のファスナーテープの各端縁に設けられて相互に噛合及び噛合解除可能なファスナーエレメントと、これらファスナーエレメント間に配置されるとともに、当該ファスナーエレメントに沿って移動可能に設けられて前記開口部の開閉を行うスライダーとにより構成されている。このスライドファスナーは、開口部の開閉を容易に行うことができるとともに、スライダーの位置に応じて開口量の調整を行うこともでき、種々の物品に利用されている。
【０００３】
しかしながら、このようなスライドファスナーにあっては、開口部の開閉が容易である反面において、ケース内部への第三者によるアクセスも許容し易い、という側面がある。
特許文献１には、このようなアクセスを禁止することのできるスライドファスナーの施錠装置が開示されている。
【特許文献１】特開２００６−８１８２２号公報
【発明の開示】
【発明が解決しようとする課題】
【０００４】
特許文献１に開示された施錠装置は、スライドファスナーと、当該スライドファスナーを構成するスライダーと連結される封鎖止具とを備え、スライダーの施錠孔と、封鎖止具側の施錠孔とに南京錠等からなる施錠具の錠杆を挿通することでスライダーの移動が禁止できるようになっている。
しかしながら、スライドファスナーは、ファスナーエレメントが設けられたファスナーテープを相互に引き離すように両手で引張力を付与すると、スライダーが施錠位置にあるにもかかわらず、前記引張力によってケース開口部が波打つように変形し、結果的にファスナーエレメントとスライダーとの相対移動を許容して内部へのアクセスを可能とする大きな隙間若しくは空間を形成してしまう、という不都合がある。特に、ケースが袋状の繊維製品である場合には、折り畳んだり、丸めたりすることができる可撓性を備えているため、前記不都合は一層顕在化する。
【０００５】
［発明の目的］
本発明は、このような不都合に着目して案出されたものであり、その目的は、スライダーをカバーすることで、当該スライダーとファスナーエレメントとの相対移動を制限若しくは禁止することのできるスライドファスナーの施錠構造を提供することにある。
【課題を解決するための手段】
【０００６】
前記目的を達成するため、本発明は、ケース開口部の形成縁に設けられるとともに相互に噛み合い可能な一対のファスナーエレメントと、これらファスナーエレメントに沿って移動可能に設けられるとともに対向配置されて離間接近可能に設けられた一対のスライダーとを含むスライドファスナーと、前記スライダーを介して前記ファスナーエレメントが前記開口部を閉塞する所定の位置で、前記スライダーの移動を規制する施錠手段とを備えたスライドファスナーの施錠構造において、
前記ケースは繊維シート等の可撓性を有する扁平な袋状をなし、
前記スライダーは、相互に接近させたときに重なり合って一致する連結孔を備え、
前記施錠手段は、ケース開口部近傍に設けられるとともに前記スライダーをカバーする位置に変位可能なカバー部材と、当該カバー部材が前記スライダーをカバーする状態でカバー部材の位置を固定する施錠具とを備え、
前記カバー部材は、前記ケース開口部近傍の外面側に取り付けられた表裏一対のシート材により構成されているとともに面内に施錠孔を備え、一端が前記開口部から突出する方向に折り返し可能に設けられ、当該折り返した状態で各カバー部材がスライダーを全体的にカバーした状態で前記スライダの連結孔とカバー部材の施錠孔に施錠具の錠杆を挿入して連結することで、前記スライダーがカバーされる、という構成を採っている。
【００１０】
また、前記施錠手段は、前記スライダーの上面側に設けられた突部を更に含み、当該突部に前記連結穴が形成される、という構成を採ることが好ましい。
【発明の効果】
【００１２】
本発明によれば、一対のスライドエレメントを噛み合わせて開口部を閉塞した状態で、スライダーが位置する領域をカバー部材でカバーする構成であるため、スライダーの移動操作を禁止することができ、ケース内への第三者のアクセスを効果的に防止することができる。
特に、カバー部材が表裏一対のシート材によって構成され、これらシート材が開口部から突出するように折り返された状態で施錠具で両者を一体化させる構成では、カバー部材が取り付けられている領域におけるケースの表裏を引き離す引張力を付与しても、当該引張力がスライドエレメントに及ぶことがないため、スライドエレメントとスライダーとが相対移動してスライドエレメントの噛み合い状態を解除してしまうという不都合も解消することができ、特に、ケースが可撓性を備えた材料で構成されている場合の実用性を高めることができる。
【００１３】
なお、本明細書において、「可撓性を有する」とはケースの曲げ、折り畳み、或いは丸めたりすることを通常の力で行える程度の柔らかさを有するものについて用いられる。また、「カバー」するとは、スライダーを全体的に覆う場合の他、一部を覆う場合も含む。更に、「施錠具」とは、鍵を用いて開錠可能となる南京錠や、鍵を必要としないダイヤル錠等の他、結束部材等をも含む。
【発明を実施するための最良の形態】
【００１４】
以下、本発明の好ましい実施形態を、図面を参照しながら詳細に説明する。
【００１５】
図１には、本発明に係るスライドファスナーの施錠構造が適用されたケースの概略斜視図が示され、図２には、そのＡ−Ａ線矢視拡大断面図が示されている。これらの図において、ケース１０は繊維シート等の可撓性を備えた材料により構成され、平面形状が略方形をなす有底の扁平な袋状に設けられている。このケース１０は、図１中右端側が開口部１０Ａ（図２参照）とされる一方、左端側が底部１０Ｂとされ、上下は、側縁１０Ｃとされている。ケース１０の一方の外側面には、透明な樹脂シートからなるポケット袋Ｐが周囲を溶着等の手段を用いて固定されており、当該ポケット袋Ｐの面内に切り込みＰ１が形成され、この切り込みＰ１を通じて見出し用紙等が挿入できるようになっている。また、ケース１０の外側各面（表裏各面）において、前記開口部１０Ａ側の片側コーナー近傍には、施錠手段を構成するカバー部材１１がそれぞれ取り付けられている。これらカバー部材１１は平面視略方形をなす繊維製のシート材により構成され、図１中右端側を固定端とする一方、左端側を自由端として開口部１０Ａより突出する方向、すなわち、右側に折り返しできるようになっている（図７参照）。また、カバー部材１１の面内には、鳩目などを設けることによって形成された施錠孔１１Ａが形成され、当該施錠孔１１Ａに施錠手段を構成する施錠具Ｋ（図７参照）の錠杆３０が挿入できるようになっている。
【００１６】
図３ないし図６に示されるように、前記開口部１０Ａの形成縁側にはファスナーチェン１３が取り付けられ、当該ファスナーチェン１３には互いに対向するように位置する一対のスライダー１４が取り付けられ、これにより、スライドファスナーＦが形成されている。ファスナーチェン１３は、ケース１０の開口部１０Ａ側内面に一端側が固定された一対のファスナーテープ１５と、これらファスナーテープ１５の他端側にそれぞれ設けられたファスナーエレメント１７とにより構成されている。なお、ファスナーチェン１３の長手方向両端は、封止具１２を介して固定されている。
【００１７】
前記スライダー１４は、ファスナーエレメント１３に沿って移動可能なスライダー本体２０と、このスライダー本体２０に設けられた施錠手段を構成する突部２１と、当該突部２１に取り付けられた片状の引手２３とからなる。突部２１は板片状をなし、その面の向きがファスナーエレメント１７に沿うように設けられているとともに、対向するスライダー側に向かってスライダー本体２０よりも長く設けられている。突部１７の面内には、前記引手２３の取付穴２５及び前記施錠具Ｋの錠杆３０が挿入される連結孔２６が形成されている。また、スライダー１４の各突部２１において、連結穴２６が形成される側の領域は、相互の重なり合いを許容する段部２１Ａが形成されて板厚が半分程度となる薄板部２１Ｂとして形成され、対向する突部２１の薄板部２１Ｂを重ね合わせたときに、各連結孔２６が一致するようになっている。
【００１８】
次に、本実施形態に係る施錠方法について説明する。
【００１９】
スライドファスナーＦの施錠を行う場合には、図５及び図６に示されるように、対向するスライダー１４をカバー部材１１の側方所定位置にセットするとともに、前記薄板部２１Ｂが重なり合うように相互に突き当てる。この状態で、図７に示されるように、各カバー部材１１の自由端側（図５中左端側）を摘み、ケース１０の開口部１０Ａの外側に突出するようにそれぞれ折り返す。これにより、カバー部材１１の施錠孔１１Ａと、スライダー１４の連結孔２６とが略同一軸線上に開通するように重なることとなる。
【００２０】
次いで、施錠具Ｋの錠杆３０を施錠孔１１Ａと連結孔２６に挿入して施錠すると、図８に示されるように、スライダー１４がカバーされることとなり、相互に突き当てられたスライダー１４を離間させる操作が禁止され、スライドファスナーＦの閉塞状態が維持される。
【００２１】
ところで、図４に示されるように、スライダー１４を相互に突き当てた状態において、その突き当てた領域に対応する一対のスライドエレメント１７間には完全には噛み合っていない部分が生ずる。従って、カバー部材１１を用いることなくスライダー１４同士を施錠具Ｋで連結するのみとし、ケース１０の図４中左右両側を掴んで互いに引き離すような引張力を付与した場合には、スライダー１４間にファスナーチェン１３を引き込むようにケースが撓み変形してスライダー１４とスライドエレメント１７との相対移動を結果的に引き起こして開口してしまうこととなる。しかしながら、本実施形態の構成によれば、一対のカバー部材１１が合わされた状態でスライダー１４と共に施錠されているため、前記引張力を付与しても、スライダー１４間にファスナーチェン１３を引き込む変形自体が制限されるようになる。従って、ケース１０の意図しない開放を阻止して内部への第三者のアクセスを禁止することができる。
【００２２】
なお、ケース１０の開口部１０Ａを開放させる場合には、施錠具Ｋによる施錠を解除すれば足りる。
【００２３】
従って、このような実施形態によれば、袋状のケース１０が可撓性を備えたものであっても、その撓み変形を利用した意図しない開放操作を効果的に禁止することができる、という効果を得る。
【００２４】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２５】
例えば、前記実施形態では、カバー部材１１によりスライダー１４をカバーした状態で、カバー部材１１の施錠孔１１Ａと、スライダー１４の連結孔２５に施錠具Ｋの錠杆３０を挿入してこれらを一体化させる構成を図示、説明したが、スライダー１４の移動操作を禁止でき、しかも、ケース１０の表側と裏側に位置する各外面を相互に引き離す引張力の付与によりファスナーエレメントとスライダーとの相対移動を阻止できるものであれば、スライダー１４をカバー部材１１に一体化させなくてもよい。但し、前記実施形態で示したように、施錠具Ｋを用いてカバー部材１１とスライダー１４とを一体化させる構成とすれば強固な施錠構造とすることができる点で有利となる。
【００２６】
また、カバー部材１１は、一対配置としてそれらを折り返して施錠する構成としたが、カバー部材１１を一つのみとし、当該カバー部材１１の自由端側がスライドファスナーＦを回り込んで反対側のケース外面側に固定されるようにスライダー１４をカバーする構成も採用可能である。また、カバー部材１１を一つのみとし、当該カバー部材１１がスライドファスナーＦを回り込むことなくスライダー１４の一部をカバーする状態としてカバー部材１１とスライダー１４と一体化させるようにしてもよい。更に、カバー部材１１は、開口部１０Ａの片側コーナー部に位置する構成としたが、当該位置は特に限定されるものではなく、任意の位置に設けることを妨げない。また、カバー部材１１を両側コーナー部に設ける等の構成も採用可能である。
【図面の簡単な説明】
【００２８】
【図１】スライドファスナーの施錠構造が適用されたケースの平面図。
【図２】図１のＡ−Ａ線矢視拡大断面図。
【図３】図１の要部拡大図。
【図４】図３の右側面図。
【図５】一対のスライダーの連結孔を重なり合わせてカバーする直前の状態を示す要部拡大図。
【図６】図５の右側面図。
【図７】カバー部材を折り返して施錠孔と連結用孔に施錠具の錠杆を差し込む状態を示す要部拡大図。
【図８】施錠具を介してカバー部材とスライダーとを一体化した状態を示す要部拡大図。
【符号の説明】
【００２９】
１０  ケース
１０Ａ  開口部
１１  カバー部材（施錠手段）
１４  スライダー
１７  ファスナーエレメント
２１  突部（施錠手段）
２６  連結穴
３０  錠杆
Ｆ  スライドファスナー
Ｋ  施錠具（施錠手段）
【図１】
0005167503.tif 000002
【図２】
0005167503.tif 000003
【図３】
0005167503.tif 000004
【図４】
0005167503.tif 000005
【図５】
0005167503.tif 000006
【図６】
0005167503.tif 000007
【図７】
0005167503.tif 000008
【図８】
0005167503.tif 000009